(57)【特許請求の範囲】
【請求項１】
浴室内には浴槽が設けられ、洗い場の側壁側には、桶を載せる桶台が設けられ、その上方に、水平状にカウンターが設置され、該カウンターの下部に水栓が設置されて、該水栓にシャワーホースを介し接続されたシャワーヘッドを、前記カウンターに掛止できるように構成され、
前記カウンターには、上下に貫通するフック部が一体形成され、該フック部の前面には、前記シャワーホースを前面側より差し込むことのできる前面開口が形成されて、該前面開口からフック部内に前記シャワーホースを差し込んで、上方から前記シャワーヘッドをフック部に差込状に掛止できるように構成されていることを特徴とするフック付きカウンター付浴室。
【請求項２】
浴室内には浴槽が設けられ、洗い場の側壁側には、桶を載せる桶台が設けられ、その上方に、水平状にカウンターが設置され、該カウンターの下部に水栓が設置されて、該水栓にシャワーホースを介し接続されたシャワーヘッドを、前記カウンターに掛止できるように構成され、
前記カウンターには、前面に凹み状に取付凹部を形成させておき、該取付凹部に、前面側から別体で形成したフック部材を取り付けて構成し、該フック部材にはＵ字状に凹んだ掛止凹部が上下に貫通して形成されており、該掛止凹部に前面側から前記シャワーホースを差し込んで、上方から前記シャワーヘッドを掛止凹部内に差込状に掛止できるように構成されていることを特徴とするフック付きカウンター付浴室。
【発明の詳細な説明】
【０００１】
【産業上の利用分野】
この発明は、フック付きカウンター付浴室に関するものである。
【０００２】
【従来の技術及びその課題】
従来、浴室において、カウンターの回りの適当な位置にフックを増設して、このフックにシャワーヘッドを掛止させて使用できるようにしているが、壁面にフックを設けた場合は、突出寸法が少なく、シャワーヘッドを掛止させる動作がし辛かったり、また、カウンターにフックを増設した場合は、取付強度を増すための補強等を行う必要があり、コスト高となり、また、他の機器との干渉を避けねばならず、最適な位置に設置し辛く、使い勝手が悪くなるという問題点があり、また、フックの設置状態が一体感のないものとなり、美観上、好ましくないという問題点があった。
【０００３】
【課題を解決するための手段】
本発明は上記従来の問題点に鑑み案出したものであって、最適な位置を選択して設置することができ、使用勝手の良好な位置でシャワーヘッドを掛止することのできるフック付きカウンター付浴室を提供せんことを目的とし、その第１の要旨は、浴室内には浴槽が設けられ、洗い場の側壁側には、桶を載せる桶台が設けられ、その上方に、水平状にカウンターが設置され、該カウンターの下部に水栓が設置されて、該水栓にシャワーホースを介し接続されたシャワーヘッドを、前記カウンターに掛止できるように構成され、前記カウンターには、上下に貫通するフック部が一体形成され、該フック部の前面には、前記シャワーホースを前面側より差し込むことのできる前面開口が形成されて、該前面開口からフック部内に前記シャワーホースを差し込んで、上方から前記シャワーヘッドをフック部に差込状に掛止できるように構成されていることである。
また、第２の要旨は、浴室内には浴槽が設けられ、洗い場の側壁側には、桶を載せる桶台が設けられ、その上方に、水平状にカウンターが設置され、該カウンターの下部に水栓が設置されて、該水栓にシャワーホースを介し接続されたシャワーヘッドを、前記カウンターに掛止できるように構成され、前記カウンターには、前面に凹み状に取付凹部を形成させておき、該取付凹部に、前面側から別体で形成したフック部材を取り付けて構成し、該フック部材にはＵ字状に凹んだ掛止凹部が上下に貫通して形成されており、該掛止凹部に前面側から前記シャワーホースを差し込んで、上方から前記シャワーヘッドを掛止凹部内に差込状に掛止できるように構成されていることである。
【０００４】
【実施例】
以下、本発明の実施例を図面に基づいて説明する。
図１は、浴室の斜視構成図であり、浴室１内には浴槽２が設けられ、洗い場３の側壁側には、桶を載せる桶台４が設けられ、その上方に、水平状にカウンター５が設置されており、このカウンター５の下部に水栓６が設置されて、水栓にシャワーホース８を介し接続されたシャワーヘッド７を、このカウンター５に掛止できるように構成されている。
【０００５】
即ち、カウンター５は図２の斜視図で示すように、上下に貫通するフック部９が一体形成されたものであり、フック部９の前面には、シャワーホース８を前面側より差し込むことのできる前面開口１０が形成されたものとなっており、この前面開口１０からフック部９内にシャワーホース８を差し込んで、上方からシャワーヘッド７をフック部９に差込状に掛止できるように構成されており、このフック部９の部分の縦断面図を図３に拡大して示すと、図３のように、フック部９は、カウンター５の上下方向高さの中心部に内側へ突出して形成された小径の中央突部９ｃから、テーパー状に上方に向かって拡径した上テーパー孔９ａが形成されており、また逆に、中央突部９ｃから、下方側に向けて拡径した下テーパー孔９ｂが形成されたものとなっており、シャワーヘッド７の下端側の下端円錐部７ａを、この上テーパー孔９ａまたは下テーパー孔９ｂに差込状に掛止させることができるように構成されている。
即ち、カウンター５は、図４に示すように、右側に洗い場３が形成されたタイプの浴室においても、また、図５に示すように、左側に洗い場３が形成された浴室１においても、カウンター５の表裏を反転させて、何れのタイプの浴室にも設置できるように構成されている。
【０００６】
なお、カウンター５は、水栓６とか桶台４等とは全く無関係の別部材からなる独立部品であるため、このカウンター５は取り付ける高さを任意に設定して設置することができるものであり、図６に示すように、浴室の壁面Ｗの所定高さ位置にこのカウンター５を設置して、洗い場３で座った状態で良好にフック部９にシャワーヘッド７を掛止させて、シャワーヘッド７からシャワー水を噴出させて良好に使用することができ、図６のように腰を伸ばした楽な姿勢でシャワーヘッド７の使用が可能であり、座ったまま良好にシャワーヘッド７に手が届き、シャワーヘッド７を手で持ったり、またカウンター５にチョイ置きして使用することができ、使用勝手が良好なものとなり、シャワーヘッド７の操作性が向上したものとなる。特に、老人とか子供等においては、カウンター５のフック部９にシャワーヘッド７を掛止させ、座ったままの状態でシャワーヘッド７から手元にシャワー水を吐水させて良好に使用することができるものとなる。
【０００７】
なお、本例のカウンター５においては、フック部９が一体形成されており、突出部が存在せず、極めてスッキリとした美観を呈するものであり、設置状態の美観が向上し、掃除も楽なものとなり、シャワーヘッド７をフック部９に掛止した状態でシャワーホース８が必要以上に下方で弛まない位置にカウンター５を設置すれば、シャワーホース８の納まりもスッキリとしたものとなる。
なお、このカウンター５は棚としても使用でき、その上面に備品等を置いて良好に使用することができるものである。
【０００８】
次に、図７は第２実施例を示すものであり、図７では、カウンター５の前面に凹み状に取付凹部５ａを形成させておき、この取付凹部５ａに、前面側から別体で形成したフック部材９１を取り付けるように構成したものであり、取付凹部５ａの上下方向中央部には、水平に内側へ突出して対向状に一対のフランジ５ｂ，５ｂが突出形成されており、この各フランジ５ｂ，５ｂには縦方向に雌ネジを形成したネジ孔５ｃ，５ｃが形成されたものとなっている。
【０００９】
一方、フック部材９１は、図８に裏側からの斜視図で示すように、本体部９１ａの前面に突出状に一対の突出片９１ｂ，９１ｂが一体形成されており、一対の突出片９１ｂ，９１ｂ間にＵ字状に凹んだ掛止凹部９２が上下に貫通して形成されたものとなっており、この掛止凹部９２の前面側は、シャワーホース８を前面から差し込むことのできる前面開口９２ａとなっている。
【００１０】
一方、本体部９１ａは、カウンター５の取付凹部５ａに整合する湾曲形状に裏面が形成されており、この裏面には、前記フランジ５ｂ，５ｂが差し込まれる水平なフランジ挿入穴９１ｃ，９１ｃが一対対向状に形成されており、各フランジ挿入穴９１ｃの下面には、止ネジ９３を下方側から通す通し孔９１ｄ，９１ｄが形成されたものとなっている。
【００１１】
このような構造のフック部材９１を、フランジ挿入穴９１ｃ内にフランジ５ｂを差し込んで、カウンター５の取付凹部５ａに前面側から取り付け、その状態で下方側より止ネジ９３を通し孔９１ｄに通してネジ孔５ｃにネジ込み、取付凹部５ａにフック部材９１を固定させることができるものである。
【００１２】
なお、図７に示すフック部材９１のように、掛止凹部９２の部分に本体部９１ａの背面側へ貫通して上下に２本の正面通し孔９１ｅ，９１ｅを形成させておき、この正面通し孔９１ｅ内に正面側より止ネジ９３を差し込んで、取付凹部５ａに止ネジ９３をネジ込んでフック部材９１を取り付けできるように構成しておいても良く、また、さらには図９に平面図で示すように、カウンター５の背面側より止ネジ９３，９３を通してフック部材９１側へネジ込んで、フック部材９１を取付凹部５ａに固定できるように構成しても良い。
【００１３】
なお、図１０に示すものは、フック部材９１全体をゴム製としたものであり、このようなゴム製のフック部材９１であれば、カウンター５から前面側へ突出していても、足等が当たった場合に怪我を負うことがなくなり、極めて安全性が高められたものとなる。
【００１４】
なお、フック部材９１には、前面開口９２ａ側からシャワーホース８を差込み、さらに上方側よりシャワーヘッド７を掛止凹部９２内に差し込んで良好に掛止することができるものであり、カウンター５を任意の高さに設置してフック部材９１にシャワーヘッド７を掛止させた状態で、座った使用者の手元に良好にシャワー水を噴出させて使用することができるものとなり、シャワーヘッド７のチョイ掛けが容易であり、シャワーヘッド７の操作性が向上して使用勝手が良好なものとなる。
【００１５】
なお、図７に示す第２実施例のカウンター５は、裏表を反転させてタイプの異なる浴室に良好に設置することができ、カウンター５の裏表を反転させた場合にも、フック部材９１は反転させることなく取付凹部５ａに前面側より良好に取り付けて設置することができ、設置状態はスッキリとしたものとなる。
【００１６】
なお、本例では、浴室に設置するフック付きカウンターを例示しているが、このフック付きカウンター５は洗面化粧台に設置することもでき、操作性の良好な位置を選択して洗面化粧台に設置し、フック部にシャワーヘッドを掛止して使用することができるものである。
【００１７】
【発明の効果】
本発明は、浴室内には浴槽が設けられ、洗い場の側壁側には、桶を載せる桶台が設けられ、その上方に、水平状にカウンターが設置され、該カウンターの下部に水栓が設置されて、該水栓にシャワーホースを介し接続されたシャワーヘッドを、前記カウンターに掛止できるように構成され、前記カウンターには、上下に貫通するフック部が一体形成され、該フック部の前面には、前記シャワーホースを前面側より差し込むことのできる前面開口が形成されて、該前面開口からフック部内に前記シャワーホースを差し込んで、上方から前記シャワーヘッドをフック部に差込状に掛止できるように構成されていることにより、洗い場で座った状態で良好にフック部にシャワーヘッドを掛止させて、シャワーヘッドからシャワー水を噴出させて良好に使用することができ、腰を伸ばした楽な姿勢でシャワーヘッドの使用が可能であり、座ったまま良好にシャワーヘッドに手が届き、シャワーヘッドを手で持ったり、またカウンターにチョイ置きして使用することができ、使用勝手が良好なものとなり、シャワーヘッドの操作性が向上したものとなる。特に、老人とか子供等においては、カウンターのフック部にシャワーヘッドを掛止させ、座ったままの状態でシャワーヘッドから手元にシャワー水を吐水させて良好に使用することができるものとなる。
また、カウンターにはフック部が一体形成されており、突出部が存在せず、極めてスッキリとした美観を呈するものであり、設置状態の美観が向上し、掃除も楽なものとなり、シャワーヘッドをフック部に掛止した状態でシャワーホースが必要以上に下方で弛まない位置にカウンターを設置すれば、シャワーホースの納まりもスッキリとしたものとなる。
【００１８】
また、浴室内には浴槽が設けられ、洗い場の側壁側には、桶を載せる桶台が設けられ、その上方に、水平状にカウンターが設置され、該カウンターの下部に水栓が設置されて、該水栓にシャワーホースを介し接続されたシャワーヘッドを、前記カウンターに掛止できるように構成され、前記カウンターには、前面に凹み状に取付凹部を形成させておき、該取付凹部に、前面側から別体で形成したフック部材を取り付けて構成し、該フック部材にはＵ字状に凹んだ掛止凹部が上下に貫通して形成されており、該掛止凹部に前面側から前記シャワーホースを差し込んで、上方から前記シャワーヘッドを掛止凹部内に差込状に掛止できるように構成されていることにより、洗い場で座った状態で良好にフック部材にシャワーヘッドを掛止させて、シャワーヘッドからシャワー水を噴出させて良好に使用することができ、腰を伸ばした楽な姿勢でシャワーヘッドの使用が可能であり、座ったまま良好にシャワーヘッドに手が届き、シャワーヘッドを手で持ったり、またカウンターにチョイ置きして使用することができ、使用勝手が良好なものとなり、シャワーヘッドの操作性が向上したものとなる。特に、老人とか子供等においては、カウンターのフック部材にシャワーヘッドを掛止させ、座ったままの状態でシャワーヘッドから手元にシャワー水を吐水させて良好に使用することができるものとなる。
なお、ゴム製のフック部材であれば、カウンターから前面側へ突出していても、足等が当たった場合に怪我を負うことがなくなり、極めて安全性が高められたものとなる。
【図面の簡単な説明】
【図１】  浴室の斜視構成図である。
【図２】  第１実施例のフック付きカウンターの斜視構成図である。
【図３】  図２のカウンターのフック部の断面拡大構成図である。
【図４】  右側に洗い場が存在する浴室の平面構成図である。
【図５】  左側に洗い場が存在する浴室の平面構成図である。
【図６】  図２のカウンターを所定高さに設置して使用している状態の側面図である。
【図７】  第２実施例のカウンターとフック部材の分解斜視図である。
【図８】  フック部材の裏側から見た斜視構成図である。
【図９】  カウンターに対するフック部材の取付構造の変更例を示す平面構成図である。
【図１０】  ゴム製のフック部材をカウンターに取り付けた状態の斜視構成図である。
【符号の説明】
１  浴室
２  浴槽
３  洗い場
４  桶台
５  カウンター
５ａ  取付凹部
５ｂ  フランジ
５ｃ  ネジ孔
６  水栓
７  シャワーヘッド
７ａ  下端円錐部
８  シャワーホース
９  フック部
９ａ  上テーパー孔
９ｂ  下テーパー孔
９ｃ  中央突部
１０  前面開口
９１  フック部材
９１ａ  本体部
９１ｂ  突出片
９１ｃ  フランジ挿入穴
９１ｄ  通し孔
９１ｅ  正面通し孔
９２  掛止凹部
９２ａ  前面開口
【図１】
0003687062.tif 000002
【図２】
0003687062.tif 000003
【図３】
0003687062.tif 000004
【図４】
0003687062.tif 000005
【図５】
0003687062.tif 000006
【図６】
0003687062.tif 000007
【図７】
0003687062.tif 000008
【図８】
0003687062.tif 000009
【図９】
0003687062.tif 000010
【図１０】
0003687062.tif 000011